(57)【要約】  本開示は、情報送受信方法、端末機器及びネットワーク機器を提供し、ここで、前記情報送受信方法は、ランダムアクセス手順における端末機器の上りチャネル又は上り下りチャネルの重複回数を特定することと、ランダムアクセス手順において前記重複回数で上り情報を送信するか、又は上り情報を送信し下り情報を受信することとを含む。【選択図】  図１
2021510279.tif 000002
【特許請求の範囲】
【請求項１】
端末機器に適用される情報送受信方法であって、
ＲＡＣＨ（Ｒａｎｄｏｍ  Ａｃｃｅｓｓ  Ｃｈａｎｎｅｌ）手順における端末機器の上りチャネル又は上り下りチャネルの重複回数を特定することと、
ＲＡＣＨ手順において前記重複回数で上り情報を送信するか、又は上り情報を送信し下り情報を受信することとを含む、情報送受信方法。
【請求項２】
前記のＲＡＣＨ手順における端末機器の上りチャネル又は上り下りチャネルの重複回数を特定することは、
ネットワーク機器から送信された指示情報を受信することと、
前記指示情報に基づいて、ＲＡＣＨ手順における前記端末機器の上りチャネル又は上り下りチャネルの重複回数を特定することとを含む、請求項１に記載の情報送受信方法。
【請求項３】
前記指示情報は、ＲＡＣＨ手順における端末機器の上り下りチャネルの重複回数を指示し、又は、
前記指示情報は、ＲＡＣＨ手順における端末機器の上りチャネルの重複回数を指示するための第１指示情報と、ＲＡＣＨ手順における端末機器の下りチャネルの重複回数を指示するための第２指示情報とを含む、請求項２に記載の情報送受信方法。
【請求項４】
前記のネットワーク機器から送信された指示情報を受信することは、
ブロードキャストメッセージを介して、前記ネットワーク機器から送信された前記指示情報を受信することを含み、
ここで、前記ブロードキャストメッセージには、端末機器が前記ブロードキャストメッセージにおける指示情報で重複回数を特定するための、対応する端末機器の識別情報又は対応する端末機器が所在するグループの識別情報を付帯する、請求項２に記載の情報送受信方法。
【請求項５】
前記のＲＡＣＨ手順における端末機器の上りチャネル又は上り下りチャネルの重複回数を特定することは、
ＲＡＣＨ手順における端末機器の上りチャネルの重複回数又は回数レベルを特定するための少なくとも１つの測定性能閾値を含む、ネットワーク機器から送信された閾値情報を受信することと、
前記少なくとも１つの測定性能閾値に基づいて、ＲＡＣＨ手順における前記端末機器の上りチャネルの重複回数を特定することと、を含み、
ここで、前記重複回数は、前記端末機器により前記少なくとも１つの測定性能閾値に基づいて直接的に特定されるか又は前記端末機器により、特定された回数レベルに基づいて特定され、前記特定された回数レベルは、前記端末機器により前記少なくとも１つの測定性能閾値に基づいて特定される、請求項１に記載の情報送受信方法。
【請求項６】
前記のＲＡＣＨ手順において前記重複回数で上り情報を送信するか、又は上り情報を送信し下り情報を受信することは、
ＲＡＣＨ手順において前記重複回数で上り情報を送信し、下り情報をブラインド検出することを含む、請求項１に記載の情報送受信方法。
【請求項７】
前記のＲＡＣＨ手順において前記重複回数で上り情報を送信するか、又は上り情報を送信し下り情報を受信する前に、前記方法は、さらに、
ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示する、ネットワーク機器から送信された指示情報を受信することと、
前記指示情報に基づいて、前記上りチャネルの重複回数に対応するプリアンブルグループにおけるプリアンブルを選択することと、を含み、
前記のＲＡＣＨ手順において前記重複回数で上り情報を送信するか、又は上り情報を送信し下り情報を受信することは、
ＲＡＣＨ手順において選択された前記プリアンブルを用いて、前記上りチャネルの重複回数で上り情報を送信し下り情報を受信することを含む、請求項５に記載の情報送受信方法。
【請求項８】
前記指示情報は、ＲＡＣＨ手順においてプリアンブルグループＡにおけるプリアンブルを用いる端末機器の上り下りチャネルの重複回数を指示するための第３指示情報と、ＲＡＣＨ手順においてプリアンブルグループＢにおけるプリアンブルを用いる端末機器の上り下りチャネルの重複回数を指示するための第４指示情報とを含み、または、
前記指示情報は、ＲＡＣＨ手順においてプリアンブルグループＡにおけるプリアンブルを用いる端末機器の上りチャネルの重複回数を指示するための第５指示情報と、ＲＡＣＨ手順においてプリアンブルグループＡにおけるプリアンブルを用いる端末機器の下りチャネルの重複回数を指示するための第６指示情報と、ＲＡＣＨ手順においてプリアンブルグループＢにおけるプリアンブルを用いる端末機器の上りチャネルの重複回数を指示するための第７指示情報と、ＲＡＣＨ手順においてプリアンブルグループＢにおけるプリアンブルを用いる端末機器の下りチャネルの重複回数を指示するための第８指示情報とを含み、または、
前記指示情報は、ＲＡＣＨ手順においてプリアンブルグループＡにおけるプリアンブルを用いる端末機器の上り下りチャネルの重複回数と、ＲＡＣＨ手順においてプリアンブルグループＢにおけるプリアンブルを用いる端末機器の上り下りチャネルの重複回数とを指示し、または、
前記指示情報は、ＲＡＣＨ手順においてプリアンブルグループＡにおけるプリアンブルを用いる端末機器の上りチャネルの重複回数及びＲＡＣＨ手順においてプリアンブルグループＢにおけるプリアンブルを用いる端末機器の上りチャネルの重複回数とを指示するための第９指示情報と、ＲＡＣＨ手順においてプリアンブルグループＡにおけるプリアンブルを用いる端末機器の下りチャネルの重複回数及びＲＡＣＨ手順においてプリアンブルグループＢにおけるプリアンブルを用いる端末機器の下りチャネルの重複回数とを指示するための第１０指示情報とを含む、請求項２又は７に記載の情報送受信方法。
【請求項９】
前記のＲＡＣＨ手順において前記重複回数で上り情報を送信するか、又は上り情報を送信し下り情報を受信する前に、前記方法は、さらに、
異なる上り下りチャネルの重複回数又は回数レベルに対応するＰＲＡＣＨ（Ｐｈｙｓｉｃａｌ  Ｒａｎｄｏｍ  Ａｃｃｅｓｓ  Ｃｈａｎｎｅｌ）リソースグループを含む、前記ネットワーク機器から送信されたＰＲＡＣＨリソース設定情報を受信することと、
特定された前記上りチャネルの重複回数に対応するＰＲＡＣＨリソースを選択することとを含み、
前記のＲＡＣＨ手順において前記重複回数で上り情報を送信するか、又は上り情報を送信し下り情報を受信することは、
ＲＡＣＨ手順において特定されたＰＲＡＣＨリソースを用いて、前記上りチャネルの重複回数で上り情報を送信し、下り情報を受信することを含む、請求項５に記載の情報送受信方法。
【請求項１０】
前記のネットワーク機器から送信された指示情報を受信することは、
ブロードキャストメッセージを介して、前記ネットワーク機器から送信された前記指示情報を受信することを含む、請求項２又は７に記載の情報送受信方法。
【請求項１１】
前記指示情報は、前記ブロードキャストメッセージにおける
ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ  ）１、ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）又はＯＳＩ（Ｏｔｈｅｒ  Ｓｙｓｔｅｍ  Ｉｎｆｏｒｍａｔｉｏｎ）のうちの少なくとも１つの情報に含まれる、請求項１０に記載の情報送受信方法。
【請求項１２】
前記のＲＡＣＨ手順における端末機器の上りチャネル又は上り下りチャネルの重複回数を特定することは、
予め定められた重複回数における最大重複回数をＲＡＣＨ手順における前記端末機器の上りチャネルの重複回数として特定することを含む、請求項１に記載の情報送受信方法。
【請求項１３】
前記のＲＡＣＨ手順における端末機器の上りチャネル又は上り下りチャネルの重複回数を特定することは、
予め定められた方式に基づいて、ＲＡＣＨ手順における前記端末機器の上り下りチャネルの重複回数を特定することを含み、
ここで、前記予め定められた方式は、
端末機器がＲＡＣＨ手順の前の接続状態で設定された重複回数、
ＲＡＣＨ手順の前にＲＲＣ（Ｒａｄｉｏ  Ｒｅｓｏｕｒｃｅ  Ｃｏｎｔｒｏｌ）シグナリングを介して端末機器のために設定された重複回数、及び
予め定義された又はデフォルトの重複回数、のいずれか１つである、請求項１に記載の情報送受信方法。
【請求項１４】
ネットワーク機器に適用される情報送受信方法であって、
端末機器がＲＡＣＨ手順における上りチャネル又は上り下りチャネルの重複回数を特定するためのブロードキャストメッセージを端末機器に送信することと、
前記端末機器のＲＡＣＨ手順に基づいて、ＲＡＣＨ手順における前記端末機器の上り下りチャネルの重複回数を特定することと、
ＲＡＣＨ手順において前記端末機器のＲＡＣＨ手順に基づいて特定された重複回数で下り情報を送信し、上り情報を受信することとを含む、情報送受信方法。
【請求項１５】
前記ブロードキャストメッセージは、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示するための指示情報を含み、
前記の端末機器のＲＡＣＨ手順に基づいて、ＲＡＣＨ手順における前記端末機器の上り下りチャネルの重複回数を特定することは、
前記端末機器がＲＡＣＨ手順において用いるプリアンブルが所在するプリアンブルグループに基づいて、ＲＡＣＨ手順における前記端末機器の上り下りチャネルの重複回数を特定することを含む、請求項１４に記載の情報送受信方法。
【請求項１６】
前記ブロードキャストメッセージはさらに、ＲＡＣＨ手順における端末機器の上りチャネルの重複回数又は回数レベルを特定するための少なくとも１つの測定性能閾値を含む閾値情報を含む、請求項１５に記載の情報送受信方法。
【請求項１７】
前記ブロードキャストメッセージは、ＲＡＣＨ手順における端末機器の上りチャネルの重複回数又は回数レベルを特定するための少なくとも１つの測定性能閾値を含む閾値情報と、異なる上り下りチャネルの重複回数又は回数レベルに対応するＰＲＡＣＨリソースグループを含むＰＲＡＣＨリソース設定情報とを含み、
前記の端末機器のＲＡＣＨ手順に基づいて、ＲＡＣＨ手順における前記端末機器の上り下りチャネルの重複回数を特定することは、
前記端末機器がＲＡＣＨ手順において用いるＰＲＡＣＨリソースに基づいて、ＲＡＣＨ手順における前記端末機器の上り下りチャネルの重複回数を特定することを含み、
ここで、前記重複回数は、前記ネットワーク機器により前記端末機器が用いるＰＲＡＣＨリソースに基づいて直接的に特定されるか、又は前記ネットワーク機器により、特定された回数レベルに基づいて特定され、前記特定された回数レベルは、前記ネットワーク機器により前記端末機器が用いるＰＲＡＣＨリソースに基づいて特定される、請求項１４に記載の情報送受信方法。
【請求項１８】
ＲＡＣＨ手順における端末機器の上りチャネル又は上り下りチャネルの重複回数を特定するための第１特定モジュールと、
ＲＡＣＨ手順において前記重複回数で上り情報を送信するか、又は上り情報を送信し下り情報を受信するための第１送受信モジュールとを含む、端末機器。
【請求項１９】
前記第１特定モジュールは、
ネットワーク機器から送信された指示情報を受信するための第１受信ユニットと、
前記指示情報に基づいて、ＲＡＣＨ手順における前記端末機器の上りチャネル又は上り下りチャネルの重複回数を特定するための第１特定ユニットとを含む、請求項１８に記載の端末機器。
【請求項２０】
前記第１受信ユニットは、具体的には、
ブロードキャストメッセージを介して、前記ネットワーク機器から送信された前記指示情報を受信し、
ここで、前記ブロードキャストメッセージには、端末機器が前記ブロードキャストメッセージにおける指示情報で重複回数を特定するための、対応する端末機器の識別情報又は対応する端末機器が所在するグループの識別情報を付帯する、請求項１９に記載の端末機器。
【請求項２１】
前記第１特定モジュールは、
ＲＡＣＨ手順における端末機器の上りチャネルの重複回数又は回数レベルを特定するための少なくとも１つの測定性能閾値を含む、ネットワーク機器から送信された閾値情報を受信するための第２受信ユニットと、
前記少なくとも１つの測定性能閾値に基づいて、ＲＡＣＨ手順における前記端末機器の上りチャネルの重複回数を特定するための第２特定ユニットとを含み、
ここで、前記重複回数は、前記端末機器により前記少なくとも１つの測定性能閾値に基づいて直接的に特定されるか又は前記端末機器により、特定された回数レベルに基づいて特定され、前記特定された回数レベルは、前記端末機器により前記少なくとも１つの測定性能閾値に基づいて特定される、請求項１８に記載の端末機器。
【請求項２２】
前記第１送受信モジュールは、具体的には、
ＲＡＣＨ手順において前記重複回数で上り情報を送信し、下り情報をブラインド検出する、請求項１８に記載の端末機器。
【請求項２３】
ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示する、ネットワーク機器から送信された指示情報を受信するための第１受信モジュールと、
前記指示情報に基づいて、前記上りチャネルの重複回数に対応するプリアンブルグループにおけるプリアンブルを選択するための第１選択モジュールとをさらに含み、
前記第１送受信モジュールは、具体的には、
ＲＡＣＨ手順において選択された前記プリアンブルを用いて、前記上りチャネルの重複回数で上り情報を送信し下り情報を受信する、請求項２１に記載の端末機器。
【請求項２４】
異なる上り下りチャネルの重複回数又は回数レベルに対応するＰＲＡＣＨリソースグループを含む、前記ネットワーク機器から送信されたＰＲＡＣＨリソース設定情報を受信するための第２受信モジュールと、
特定された前記上りチャネルの重複回数に対応するＰＲＡＣＨリソースを選択するための第２選択モジュールとをさらに含み、 
前記第１送受信モジュールは、具体的には、
ＲＡＣＨ手順において特定されたＰＲＡＣＨリソースを用いて、前記上りチャネルの重複回数で上り情報を送信し、下り情報を受信する、請求項２１に記載の端末機器。
【請求項２５】
端末機器がＲＡＣＨ手順における上りチャネル又は上り下りチャネルの重複回数を特定するためのブロードキャストメッセージを端末機器に送信するための送信モジュールと、
前記端末機器のＲＡＣＨ手順に基づいて、ＲＡＣＨ手順における前記端末機器の上り下りチャネルの重複回数を特定するための第２特定モジュールと、
ＲＡＣＨ手順において前記端末機器のＲＡＣＨ手順に基づいて特定された重複回数で下り情報を送信し、上り情報を受信するための第２送受信モジュールとを含む、ネットワーク機器。
【請求項２６】
前記ブロードキャストメッセージは、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示するための指示情報を含み、
前記第２特定モジュールは、具体的には、
前記端末機器がＲＡＣＨ手順において用いるプリアンブルが所在するプリアンブルグループに基づいて、ＲＡＣＨ手順における前記端末機器の上り下りチャネルの重複回数を特定する、請求項２５に記載のネットワーク機器。
【請求項２７】
メモリと、プロセッサと、前記メモリ上に記憶されて前記プロセッサ上で動作可能で、前記プロセッサによって実行されると、請求項１〜１３のいずれか１項に記載の情報送受信方法を実現するコンピュータプログラムとを含む、端末機器。
【請求項２８】
メモリと、プロセッサと、前記メモリ上に記憶されて前記プロセッサ上で動作可能で、前記プロセッサによって実行されると、請求項１４〜１７のいずれか１項に記載の情報送受信方法を実現するコンピュータプログラムとを含む、ネットワーク機器。
【請求項２９】
プロセッサにより実行されると、請求項１〜１７のいずれか１項に記載の情報送受信方法を実現するコンピュータプログラムが記憶されているコンピュータ読み取り可能な記憶媒体。
【発明の詳細な説明】
【技術分野】
【０００１】
本願は、２０１８年１月１０日に提出された中国特許出願第２０１８１００２３３２５．Ｘ号の優先権を主張するものであり、その全ての内容は参照により本願に組み込まれるものとする。
本開示は、通信の技術分野に関し、特に情報送受信方法、端末機器及びネットワーク機器に関する。
【背景技術】
【０００２】
将来の第５世代（５  Ｇｅｎｅｒａｔｉｏｎ、５Ｇ）移動通信システムでは、上り下りリンクの伝送信頼性を向上させるために、物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）と物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）に重複のメカニズムが導入され、すなわち各ＰＤＳＣＨ又はＰＵＳＣＨに対応するデータブロックが重複送信され、重複回数が１、２、４又は８回であってもよい。端末側では、受信された重複データを統合復調することにより、伝送信頼性を向上させる。
【０００３】
５Ｇシステムでは、シグナリングオーバーヘッドを低減し、無線リソース利用率を向上させ、基地局エネルギー消費を低減するために、新たな無線技術（Ｎｅｗ  Ｒａｄｉｏ、ＮＲ）は、システム情報を最小システム情報（ｍｉｎｉｍｕｍ  ＳＩ）と、他のシステム情報（ｏｔｈｅｒ  ＳＩ）との２種類に分けることを提案している。ｍｉｎｉｍｕｍ  ＳＩは、マスタ情報ブロック（Ｍａｓｔｅｒ  Ｉｎｆｏｒｍａｔｉｏｎ  Ｂｌｏｃｋ、ＭＩＢ）及び残りの最小システム情報（Ｒｅｍａｉｎｉｎｇ  Ｍｉｎｉｍｕｍ  ＳＩ、ＲＭＳＩ）を含む。また、Ｏｔｈｅｒ  ＳＩは、さらに有効範囲に基づいて、いくつかのセルＣｅｌｌの間で共有され、一致を保つ必要があるＣｏｍｍｏｎ  ＳＩと１つのＣｅｌｌ範囲内にあるＣｅｌｌ  ｓｐｅｃｉｆｉｃ  ＳＩとに分けられる。
【０００４】
ｍｉｎｉｍｕｍ  ＳＩは、周期的にブロードキャストする方式で端末ＵＥに送信される。ｏｔｈｅｒ  ＳＩは、ｍｉｎｉｍｕｍ  ＳＩ以外の全てのシステム情報を含み、Ｏｔｈｅｒ  ＳＩは、４Ｇ、ロングタームエボリューション（Ｌｏｎｇ  Ｔｅｒｍ  Ｅｖｏｌｕｔｉｏｎ、ＬＴＥ）のように、複数のシステム情報ブロック（Ｓｙｓｔｅｍ  Ｉｎｆｏｒｍａｔｉｏｎ  Ｂｌｏｃｋ、ＳＩＢ）を含んでもよい。Ｏｔｈｅｒ  ＳＩは、Ｏｎ−ｄｅｍａｎｄ  ＳＩとも呼ばれ、ＵＥのニーズに基づいて、ＵＥから基地局に要求（ｒｅｑｕｅｓｔ）される。関連技術で特定されたように、ＵＥは、ランダムアクセスチャネル（Ｒａｎｄｏｍ  Ａｃｃｅｓｓ  Ｃｈａｎｎｅｌ、ＲＡＣＨ）手順のＭＳＧ１又はＭＳＧ３によりｏｎ  ｄｅｍａｎｄ  ＳＩを要求し、基地局の設定又はＳＩのタイプに基づいて、ＭＳＧ１かＭＳＧ３かでｏｔｈｅｒ  ＳＩの要求を送信することを特定することができる。基地局は、ｏｔｈｅｒ  ＳＩ要求を受信すると、接続状態のＵＥに対して、特定シグナリング（Ｄｅｄｉｃａｔｅｄ  ｓｉｇｎａｌｉｎｇ）を介して、ｏｎ  ｄｅｍａｎｄ  ＳＩをＵＥに送信し、アイドル状態（ｉｄｌｅ  ｍｏｄｅ）又は非アクティブ状態（ｉｎａｃｔｉｖｅ  ｓｔａｔｅ）に対してブロードキャスト方式で対応するｏｎ  ｄｅｍａｎｄ  ＳＩをＵＥに送信することができる。
【０００５】
ＬＴＥ及びＮＲはいずれもＲＡＣＨ手順をサポートすることにより複数の目的を実現する必要がある。ＮＲがＲＡＣＨ手順をサポートすることにより実現する目的は、初期のアイドル状態のＵＥがネットワークに接続されることをサポートし、無線リソース制御（Ｒａｄｉｏ  Ｒｅｓｏｕｒｃｅ  Ｃｏｎｔｒｏｌ、ＲＲＣ）を再構成し、切り替え、下りデータが到達するが、上り同期外れが発生し、上りデータが到達するが、上り同期外れが発生し、ＵＥが非アクティブ状態からアクティブ状態に遷移し、セカンダリセルの上り同期取得をサポートすることなどであってもよい。
【０００６】
ＲＡＣＨ手順は、競合ベースのＲＡＣＨ手順と非競合ベースのＲＡＣＨ手順とに分けられる。競合ベースのＲＡＣＨ手順はＭｅｓｓａｇｅ  １からｍｅｓｓａｇｅ  ４までの４ステップアクセスに分けられ、非競合ベースのＲＡＣＨ手順はｍｅｓｓａｇｅ  １とｍｅｓｓａｇｅ  ２の２ステップアクセスに分けられる。競合ベースのＲＡＣＨ手順と非競合ベースのＲＡＣＨ手順におけるｍｅｓｓａｇｅ  ２は、いずれもＲＡＲを送信し、ＵＥがＲＡＲウィンドウ内でＲＡ−ＲＮＴＩに対応するＲＡＲを監視することである。競合ベースのＲＡＣＨ手順では、ＵＥが同様のＰＲＡＣＨリソースで同様のプリアンブルを送信する問題があるため、ｍｅｓｓａｇｅ  ２を受信した後に、ＵＥはさらに、ｍｅｓｓａｇｅ  ２におけるＵＬ  ｇｒａｎｔに基づいてｍｅｓｓａｇｅ  ３を送信する必要があり、かつｍｅｓｓａｇｅ  ３にＵＥの識別子を付帯し、ｍｅｓｓａｇｅ  ３の送信時に競合解決タイマーｔｉｍｅｒを同時に起動させる。競合解決ｔｉｍｅｒがタイムアウトしていない場合に基地局から送信されたｍｅｓｓａｇｅ  ４を受信すると、ＵＥは競合解決に成功する。ＵＥは、ｍｅｓｓａｇｅ  ４に付帯するＵＥ識別子に基づいて、自身のｍｅｓｓａｇｅ  ４であるか否かを判断し、競合に成功したか否かを判断することができる。
【０００７】
５Ｇでは、ＰＤＳＣＨとＰＵＳＣＨに重複のメカニズムが導入されているが、非接続状態のＲＡＣＨ手順については、ＵＥがネットワーク側に接続されていないため、ＵＥとネットワーク側との間にＲＡＣＨ手順における上り情報と下り情報の重複回数を明確にすることができない。関連技術において、どのようにＲＡＣＨ手順における上り下り情報の重複回数を特定するかの方法が開示されていない。
【発明の概要】
【発明が解決しようとする課題】
【０００８】
第１態様では、本開示の実施例は、端末機器に適用される情報送受信方法であって、
ＲＡＣＨ（Ｒａｎｄｏｍ  Ａｃｃｅｓｓ  Ｃｈａｎｎｅｌ）手順における端末機器の上りチャネル又は上り下りチャネルの重複回数を特定することと、
ＲＡＣＨ手順において前記重複回数で上り情報を送信するか、又は上り情報を送信し下り情報を受信することとを含む、情報送受信方法を提供する。
【０００９】
第２態様では、本開示の実施例は、ネットワーク機器に適用される情報送受信方法であって、
前記端末機器がＲＡＣＨ手順における上りチャネル又は上り下りチャネルの重複回数を特定するためのブロードキャストメッセージを端末機器に送信することと、
前記端末機器のＲＡＣＨ手順に基づいて、ＲＡＣＨ手順における前記端末機器の上り下りチャネルの重複回数を特定することと、
ＲＡＣＨ手順において前記端末機器のＲＡＣＨ手順に基づいて特定された重複回数で下り情報を送信し、上り情報を受信することとを含む、情報送受信方法を提供する。
【００１０】
第３態様では、本開示の実施例は、さらに、
ＲＡＣＨ手順における端末機器の上りチャネル又は上り下りチャネルの重複回数を特定するための第１特定モジュールと、
ＲＡＣＨ手順において前記重複回数で上り情報を送信するか、又は上り情報を送信し下り情報を受信するための第１送受信モジュールとを含む、端末機器を提供する。
【００１１】
第４態様では、本開示の実施例は、さらに、
前記端末機器がＲＡＣＨ手順における上りチャネル又は上り下りチャネルの重複回数を特定するためのブロードキャストメッセージを端末機器に送信するための送信モジュールと、
前記端末機器のＲＡＣＨ手順に基づいて、ＲＡＣＨ手順における前記端末機器の上り下りチャネルの重複回数を特定するための第２特定モジュールと、
ＲＡＣＨ手順において前記端末機器のＲＡＣＨ手順に基づいて特定された重複回数で下り情報を送信し、上り情報を受信するための第２送受信モジュールとを含む、ネットワーク機器を提供する。
【００１２】
第５態様では、本開示の実施例は、さらに、メモリと、プロセッサと、前記メモリ上に記憶されて前記プロセッサ上で動作可能で、前記プロセッサによって実行されると、上記情報送受信方法のステップを実現するコンピュータプログラムとを含む、端末機器を提供する。
【００１３】
第６態様では、本開示の実施例は、さらに、メモリと、プロセッサと、前記メモリ上に記憶されて前記プロセッサ上で動作可能で、前記プロセッサによって実行されると、上記情報送受信方法のステップを実現するコンピュータプログラムとを含む、ネットワーク機器を提供する。
【００１４】
第７態様では、本開示の実施例は、さらに、プロセッサにより実行されると、上記情報送受信方法を実現するコンピュータプログラムが記憶されているコンピュータ読み取り可能な記憶媒体を提供する。
【００１５】
本開示の実施例の技術手段をより明確に説明するために、以下、本開示の実施例に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００１６】
【図１】本開示の実施例に係る情報送受信方法のフローチャートである。
【図２】本開示の実施例に係る別の情報送受信方法のフローチャートである。
【図３】本開示の実施例に係る別の情報送受信方法のフローチャートである。
【図４】本開示の実施例に係る別の情報送受信方法のフローチャートである。
【図５】本開示の実施例に係る別の情報送受信方法のフローチャートである。
【図６】本開示の実施例に係る別の情報送受信方法のフローチャートである。
【図７】本開示の実施例に係る端末機器の構造概略図である（その１）。
【図８】本開示の実施例に係る端末機器の構造概略図である（その２）。
【図９】本開示の実施例に係る端末機器の構造概略図である（その３）。
【図１０】本開示の実施例に係る端末機器の構造概略図である（その４）。
【図１１】本開示の実施例に係るネットワーク機器の構造概略図である（その１）。
【図１２】本開示の実施例に係る端末機器の構造概略図である（その５）。
【図１３】本開示の実施例に係るネットワーク機器の構造概略図である（その２）。
【発明を実施するための形態】
【００１７】
本開示の実施例の技術手段をより明確に説明するために、以下、本開示の実施例に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１８】
図１に示すように、本開示の実施例は、端末機器に適用される情報送受信方法を提供し、該方法は、以下のステップ１０１〜１０２を含む。
【００１９】
ステップ１０１では、ＲＡＣＨ手順における端末機器の上りチャネル又は上り下りチャネルの重複回数を特定する。
【００２０】
なお、端末機器の上りチャネルは、物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）などであってもよい。端末機器の下りチャネルは、物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）などであってもよい。上りチャネル又は下りチャネルの重複回数は、例えば、１、２、４又は８回である。
【００２１】
端末機器は、ＲＡＣＨ手順において端末機器の上りチャネル又は上り下りチャネルの重複回数を特定するときに、ネットワーク側からブロードキャストメッセージにより送信された指示情報に基づいて直接的に特定することができる。具体的には、図２に示すように、ステップ１０１は、
ネットワーク機器から送信された指示情報を受信するステップ１０１１と、
該指示情報に基づいて、ＲＡＣＨ手順における端末機器の上りチャネル又は上り下りチャネルの重複回数を特定するステップ１０１２と、を含んでもよい。
【００２２】
該指示情報は、ＲＡＣＨ手順における端末機器の上り下りチャネルの重複回数を指示することができる。例えば、２ｂｉｔの指示情報を用いて端末機器のＰＤＳＣＨ及びＰＵＳＣＨ、並びに将来可能なＰＵＣＣＨ及びＰＤＣＣＨの重複回数を指示する。
【００２３】
該指示情報は、ＲＡＣＨ手順における端末機器の上りチャネルの重複回数を指示するための第１指示情報と、ＲＡＣＨ手順における端末機器の下りチャネルの重複回数を指示するための第２指示情報とを含んでもよい。例えば、２ｂｉｔ指示情報を用いて端末機器のＰＤＳＣＨ（又はＰＤＣＣＨ）の重複回数を指示し、２ｂｉｔ指示情報を用いて端末機器のＰＵＳＣＨ（又はＰＵＣＣＨ）の重複回数を指示し、すなわち、各チャネルは、それぞれＮｂｉｔ指示情報を用いて対応する重複回数を指示する。
【００２４】
さらに、ネットワーク側がブロードキャストメッセージにより指示情報を送信する場合、該ブロードキャストメッセージには、端末機器がブロードキャストメッセージにおける指示情報で重複回数を特定するための、対応する端末機器の識別情報又は対応する端末機器が所在するグループの識別情報を付帯してもよい。例えば、あるＵＥが受信したブロードキャストメッセージにその識別情報又はその所在するグループの識別情報を付帯すると、該ＵＥは、該ブロードキャストメッセージにおける指示情報を用いて対応する重複回数を特定することができる。
【００２５】
さらに、ネットワーク側がブロードキャストメッセージにより指示情報を送信する場合、該指示情報は、ブロードキャストメッセージにおけるマスタ情報ブロックＭＩＢ、システム情報ブロックＳＩＢ１、残りの最小システム情報ＲＭＳＩ又は他のシステム情報ＯＳＩのうちの少なくとも１つの情報に含まれてもよい。
【００２６】
本開示の実施例の適用シーンは、例えば、５Ｇ、ｅＬＴＥ又は他の類似設定のシーンである。
【００２７】
ステップ１０２では、ＲＡＣＨ手順において前記重複回数で上り情報を送信するか、又は上り情報を送信し下り情報を受信する。
【００２８】
なお、ブロードキャストメッセージにおける指示情報が上りチャネルの重複回数のみを指示し、上り下りを区別しなければ、上りチャネルの重複回数と同様の重複回数で下り情報を受信するか、又は下り情報をブラインド検出することができる。該上り情報は、上り制御信号又は上りデータであってもよく、該下り情報は、下り制御信号又は下りデータであってもよい。該上り情報及び下り情報は、ＲＡＣＨ手順におけるｍｓｇ．１、２、３、４、５メッセージに対応することができる。
【００２９】
本発明の実施例の情報送受信方法は、ＲＡＣＨ手順における端末機器の上りチャネル又は上り下りチャネルの重複回数を特定し、ＲＡＣＨ手順において前記重複回数で上り情報を送信するか、又は上り情報を送信し下り情報を受信することにより、どのようにＲＡＣＨ手順における上り下り情報の重複回数を特定するかを明確にすることができる。
【００３０】
本開示の実施例では、ネットワーク側からブロードキャストメッセージを介して送信された指示情報に基づいて対応する重複回数を特定する場合、該指示情報は、重複回数を指示する上記方式を用いることに加えて、異なるプリアンブルグループの使用する重複回数を指示し、すなわちＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示することができる。関連技術においてランダムアクセスのプリアンブルは、グループ化され、それぞれプリアンブルグループＡ（ｇｒｏｕｐ  Ａ）とプリアンブルグループＢ（ｇｒｏｕｐ  Ｂ）である。該ｇｒｏｕｐ  Ａとｇｒｏｕｐ  Ｂは、それぞれ、異なるパス損失又はチャネル状況を示すものであってもよい。
【００３１】
具体的には、該指示情報が異なるプリアンブルグループの使用する重複回数を指示する場合、分割符号化又は統合符号化を採用することができる。分割符号化を採用する場合、該指示情報は、ＲＡＣＨ手順においてプリアンブルグループＡにおけるプリアンブルを用いる端末機器の上り下りチャネルの重複回数を指示するための第３指示情報と、ＲＡＣＨ手順においてプリアンブルグループＢにおけるプリアンブルを用いる端末機器の上り下りチャネルの重複回数を指示するための第４指示情報とを含んでもよい。例えば、該第３指示情報は、２ｂｉｔの情報であってもよく、０の場合に１＆１回に対応し、１の場合に２＆４回に対応し、該第４指示情報は、２ｂｉｔの情報であってもよく、０の場合に２＆２回に対応し、１の場合に４＆８回に対応する（「＆」の前は上りチャネルの重複回数に対応し、「＆」の後は下りチャネルの重複回数に対応する）。
【００３２】
分割符号化を採用する場合、該指示情報は、ＲＡＣＨ手順においてプリアンブルグループＡにおけるプリアンブルを用いる端末機器の上りチャネルの重複回数を指示するための第５指示情報と、ＲＡＣＨ手順においてプリアンブルグループＡにおけるプリアンブルを用いる端末機器の下りチャネルの重複回数を指示するための第６指示情報と、ＲＡＣＨ手順においてプリアンブルグループＢにおけるプリアンブルを用いる端末機器の上りチャネルの重複回数を指示するための第７指示情報と、ＲＡＣＨ手順においてプリアンブルグループＢにおけるプリアンブルを用いる端末機器の下りチャネルの重複回数を指示するための第８指示情報とを含んでもよい。例えば、該第５、第６、第７及び第８指示情報は、それぞれ２ｂｉｔ情報であってもよい。
【００３３】
統合符号化を採用する場合、該指示情報は、ＲＡＣＨ手順においてプリアンブルグループＡにおけるプリアンブルを用いる端末機器の上り下りチャネルの重複回数と、ＲＡＣＨ手順においてプリアンブルグループＢにおけるプリアンブルを用いる端末機器の上り下りチャネルの重複回数とを指示することができる。例えば、該指示情報は、１、２、３又は４ｂｉｔの情報であってもよく、３ｂｉｔの情報である場合、指示された重複回数の組み合わせは、１＆１、１＆２、２＆２、２＆４、２＆８、４＆４、４＆８及び８＆８という８種類であってもよく（「＆」の前は、プリアンブルグループＡにおけるプリアンブルを用いる端末機器の上り下りチャネルの重複回数に対応し、「＆」の後は、プリアンブルグループＢにおけるプリアンブルを用いる端末機器の上り下りチャネルの重複回数に対応する）、２ｂｉｔの情報である場合、指示された重複回数の組み合わせは、上記８種類のうちの４種類、例えば、割と重要な１＆１、１＆２、２＆４及び４＆８であってもよく、１ｂｉｔの情報である場合、指示された重複回数の組み合わせは、上記８種類のうちの２種類、例えば、２＆４及び４＆８であってもよい。
【００３４】
統合符号化を採用する場合、該指示情報は、ＲＡＣＨ手順においてプリアンブルグループＡにおけるプリアンブルを用いる端末機器の上りチャネルの重複回数及びＲＡＣＨ手順においてプリアンブルグループＢにおけるプリアンブルを用いる端末機器の上りチャネルの重複回数とを指示するための第９指示情報と、ＲＡＣＨ手順においてプリアンブルグループＡにおけるプリアンブルを用いる端末機器の下りチャネルの重複回数及びＲＡＣＨ手順においてプリアンブルグループＢにおけるプリアンブルを用いる端末機器の下りチャネルの重複回数とを指示するための第１０指示情報とを含んでもよい。例えば、該第９指示情報は、１、２、３又は４ｂｉｔの情報であってもよく、３ｂｉｔの情報である場合、指示された重複回数の組み合わせは、１＆１、１＆２、２＆２、２＆４、２＆８、４＆４、４＆８及び８＆８という８種類であってもよく（「＆」の前は、プリアンブルグループＡにおけるプリアンブルを用いる端末機器の上りチャネルの重複回数に対応し、「＆」の後は、プリアンブルグループＢにおけるプリアンブルを用いる端末機器の上りチャネルの重複回数に対応する）、２ｂｉｔの情報である場合、指示された重複回数の組み合わせは、上記８種類のうちの４種類、例えば、重要な１＆１、１＆２、２＆４及び４＆８であってもよく、１ｂｉｔの情報である場合、指示された重複回数の組み合わせは、上記８種類のうちの２種類、例えば、２＆４及び４＆８であってもよく、該第１０指示情報の指示方式は、第９指示情報の指示方式と同じであってもよく、ここでは重複して説明しない。
【００３５】
本開示の実施例では、対応する重複回数をより正確に特定するために、端末機器は、測定性能に基づいて上りチャネルの重複回数を判定することができる。具体的には、図３に示すように、ステップ１０１は、以下のステップ１０１３〜１０１４を含んでもよい。
【００３６】
ステップ１０１３では、ネットワーク機器から送信された閾値情報を受信する。該閾値情報は、ＲＡＣＨ手順における端末機器の上りチャネルの重複回数又は回数レベルを特定するための少なくとも１つの測定性能閾値を含み、該回数レベルは、重複回数に１対１に対応する方式に応じて区分されてもよく、重複回数グループ化の方式に応じて区分されてもよく、選択可能に、この閾値情報は、ブロードキャストメッセージ又はＲＲＣメッセージ（例えばＲＲＣ設定メッセージ、ＲＲＣ再構成メッセージ）を介してネットワーク側から端末機器に送信することができる。
【００３７】
ステップ１０１４では、該少なくとも１つの測定性能閾値に基づいて、ＲＡＣＨ手順における端末機器の上りチャネルの重複回数を特定する。
【００３８】
ステップ１０１４で特定された回数レベルは、端末機器により該少なくとも１つの測定性能閾値に基づいて直接的に特定されるか又は端末機器により、特定された回数レベルに基づいて特定され、該特定された回数レベルは、端末機器により該少なくとも１つの測定性能閾値に基づいて特定される。この実施例に係る測定性能は、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、参照信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、チャネル品質指示（Ｃｈａｎｎｅｌ  Ｑｕａｌｉｔｙ  Ｉｎｄｉｃａｔｏｒ、ＣＱＩ）などを含んでもよい。対応する測定性能閾値は、実際の状況に基づいて設定することにより、測定性能の閾値に基づいて対応する上りチャネルの重複回数を正確に特定することができる。
【００３９】
これに対応して、ステップ１０２は、具体的には、
ＲＡＣＨ手順において特定された重複回数で上り情報を送信し、下り情報をブラインド検出することを含む。
【００４０】
なお、この実施例ではネットワーク側が端末機器の使用する重複回数を知らないので、これに対応して、端末機器が上り情報を送信するときに、ネットワーク側は、上り制御信号又は上りデータを直接的にブラインド検出する。
【００４１】
さらに、端末機器とネットワーク側との間で使用される重複回数の同期を実現するために、測定性能閾値に基づいて上りチャネルの重複回数を特定する前提下で、端末機器はさらに、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示する、ネットワーク機器から送信された指示情報を受信することにより、端末機器は特定された上りチャネルの重複回数に対応するプリアンブルグループにおけるプリアンブルを選択してランダムアクセスを行うことができ、ネットワーク側は端末機器の使用するプリアンブルの所在するプリアンブルグループに基づいて端末機器の使用する重複回数を判定することができる。具体的には、図３に示す実施例を基に、図４に示すように、ステップ１０２の前に、前記方法は、さらに、以下のステップ１０３〜１０４を含むことができる。
【００４２】
ステップ１０１３では、ネットワーク機器から送信された指示情報を受信し、該指示情報は、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示し、ステップ１０３は、ステップ１０１３とステップ１０１４の前又は後にあってもよく、
ステップ１０４では、前記指示情報に基づいて、上りチャネルの重複回数に対応するプリアンブルグループにおけるプリアンブルを選択する。
【００４３】
これに対応して、ステップ１０２は、具体的には、
ＲＡＣＨ手順において選択されたプリアンブルを用いて、上りチャネルの重複回数で上り情報を送信し下り情報を受信することである。
【００４４】
なお、本実施例において、ネットワーク側は、判定された端末機器の使用する重複回数に基づいて（端末機器の使用するプリアンブルが所在するプリアンブルグループを利用して）下り情報を送信し、上り情報を受信することができる。このように、端末機器とネットワーク側との間で使用される重複回数の同期を実現することができる。
【００４５】
本開示の実施例では、端末機器とネットワーク側との間で使用される重複回数の同期を実現するために、測定性能閾値に基づいて上りチャネルの重複回数を特定する前提下で、端末機器はさらに、異なる上り下りチャネルの重複回数又は回数レベルに対応するＰＲＡＣＨリソースグループを含む、ネットワーク機器から送信されるＰＲＡＣＨリソース設定情報を受信することにより、端末機器は特定された上りチャネルの重複回数に対応するＰＲＡＣＨリソースを選択してランダムアクセスを行うことができ、ネットワーク側は端末機器の使用するＰＲＡＣＨリソースに基づいて端末機器の使用する重複回数を判定することができる。
【００４６】
選択可能に、このＰＲＡＣＨリソース設定情報は、ブロードキャストメッセージ又はＲＲＣメッセージ（例えばＲＲＣ設定メッセージ、ＲＲＣ再構成メッセージ）によりネットワーク側から端末機器に送信することができる。ＰＲＡＣＨリソースは、上り下りチャネルの重複回数又は回数レベルに応じて区分され、プリアンブルコードワードリソース、時間領域リソース、周波数領域リソース、空間領域リソースｂｅａｍ、帯域幅部分ｂａｎｄｗｉｄｔｈ  ｐａｒｔ（ＢＷＰ）リソースなどを含むことができる。
【００４７】
具体的には、図３に示す実施例を基に、図５に示すように、ステップ１０２の前に、前記方法は、さらに、以下のステップ１０５〜１０６を含む。
【００４８】
ステップ１０５では、ネットワーク機器から送信されたＰＲＡＣＨリソース設定情報を受信し、該ＰＲＡＣＨリソース設定情報は、異なる上り下りチャネルの重複回数又は回数レベルに対応するＰＲＡＣＨリソースグループを含み、ステップ１０５は、ステップ１０１３とステップ１０１４の前又は後にあってもよく、
ステップ１０６では、特定された上りチャネルの重複回数に対応するＰＲＡＣＨリソースを選択する。
【００４９】
これに対応して、ステップ１０２は、具体的には、
ＲＡＣＨ手順において選択されたＰＲＡＣＨリソースを用いて、上りチャネルの重複回数で上り情報を送信し下り情報を受信することである。
【００５０】
なお、本実施例において、ネットワーク側は、判定された端末機器の使用する重複回数に基づいて（端末機器の使用するＰＲＡＣＨリソースを利用して）下り情報を送信し、上り情報を受信することができる。このように、端末機器とネットワーク側との間で使用される重複回数の同期を実現することができる。
【００５１】
本開示の実施例では、ネットワーク側、例えば基地局が重複回数をブロードキャストしない場合、端末機器は、予め定められた重複回数における最大重複回数をＲＡＣＨ手順における端末機器の上りチャネルの重複回数として特定することができる。具体的には、ステップ１０１は、
端末機器が予め定められた重複回数における最大重複回数をＲＡＣＨ手順における端末機器の上りチャネルの重複回数として特定することを含んでもよい。
【００５２】
これに対応して、ステップ１０２は、
ＲＡＣＨ手順において端末機器が該上りチャネルの重複回数で上り情報を送信し、下り情報をブラインド検出することを含んでもよい。
【００５３】
また、本開示の実施例では、端末機器は、さらに予め定められた方式に基づいて、ＲＡＣＨ手順における端末機器の上り下りチャネルの重複回数を特定することができる。該予め定められた方式は、
端末機器がＲＡＣＨ手順の前の接続状態で設定された重複回数、
ｍｓｇ．１、２、３、４、５のメッセージのうちの少なくとも１つに用いられる重複回数を含む、ＲＡＣＨ手順の前にＲＲＣシグナリングを介して端末機器のために設定された重複回数、
プロトコル約定であってもよく、ネットワーク側で予め設定されてもよい予め定義された又はデフォルトの重複回数、のいずれか１つである。
【００５４】
なお、上記指示情報がブロードキャストメッセージのＯＳＩに含まれると、ＯＳＩを取得する前に、ＲＡＣＨ手順において上記予め定められた方式で上り下りチャネルの重複回数を特定することができる。
【００５５】
図６に示すように、本開示の実施例は、さらに、ネットワーク機器に適用される情報送受信方法であって、
端末機器がＲＡＣＨ手順における上りチャネル又は上り下りチャネルの重複回数を特定するためのブロードキャストメッセージを端末機器に送信するステップ６０１と、
端末機器のＲＡＣＨ手順に基づいて、ＲＡＣＨ手順における端末機器の上り下りチャネルの重複回数を特定するステップ６０２と、
ＲＡＣＨ手順において端末機器のＲＡＣＨ手順に基づいて特定された重複回数で下り情報を送信し、上り情報を受信するステップ６０３とを含む、情報送受信方法を提供する。
【００５６】
本開示の実施例の情報送受信方法は、端末機器にブロードキャストメッセージを送信し、端末機器のＲＡＣＨ手順に基づいて、ＲＡＣＨ手順における端末機器の上り下りチャネルの重複回数を特定し、ＲＡＣＨ手順において前記重複回数で下り情報を送信し上り情報を受信することにより、どのようにＲＡＣＨ手順における上り下り情報の重複回数を特定するかを明確にすることができる。
【００５７】
選択可能に、前記ブロードキャストメッセージは、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示するための指示情報を含み、前記閾値情報は、ＲＡＣＨ手順における端末機器の上りチャネルの重複回数又は回数レベルを特定するための少なくとも１つの測定性能閾値を含み、ステップ６０２は、
前記端末機器がＲＡＣＨ手順において用いるプリアンブルが所在するプリアンブルグループに基づいて、ＲＡＣＨ手順における前記端末機器の上り下りチャネルの重複回数を特定することを含むことができる。
【００５８】
さらに、前記ブロードキャストメッセージは、指示情報に加えて、さらに、ＲＡＣＨ手順における端末機器の上りチャネルの重複回数又は回数レベルを特定するための少なくとも１つの測定性能閾値を含む閾値情報を含んでもよい。
【００５９】
選択可能に、前記ブロードキャストメッセージは、ＲＡＣＨ手順における端末機器の上りチャネルの重複回数又は回数レベルを特定するための少なくとも１つの測定性能閾値を含む閾値情報と、異なる上り下りチャネルの重複回数又は回数レベルに対応するＰＲＡＣＨリソースグループを含むＰＲＡＣＨリソース設定情報とを含み、ステップ６０２は、
前記端末機器がＲＡＣＨ手順において用いるＰＲＡＣＨリソースに基づいて、ＲＡＣＨ手順における前記端末機器の上り下りチャネルの重複回数を特定することを含んでもよく、前記重複回数は、前記ネットワーク機器により前記端末機器が用いるＰＲＡＣＨリソースに基づいて直接的に特定されるか、又は前記ネットワーク機器により、特定された回数レベルに基づいて特定され、前記特定された回数レベルは、前記ネットワーク機器により前記端末機器が用いるＰＲＡＣＨリソースに基づいて特定される。
【００６０】
上記実施例は、本開示の情報送受信方法を説明し、以下、実施例及び図面を参照しながら本開示の端末機器及びネットワーク機器について説明する。
【００６１】
図７に示すように、本開示の実施例は、さらに、
ＲＡＣＨ手順における端末機器の上りチャネル又は上り下りチャネルの重複回数を特定するための第１特定モジュール７１と、
ＲＡＣＨ手順において前記重複回数で上り情報を送信するか、又は上り情報を送信し下り情報を受信するための第１送受信モジュール７２とを含む、端末機器を提供する。
【００６２】
本発明の実施例の端末機器は、ＲＡＣＨ手順における端末機器の上りチャネル又は上り下りチャネルの重複回数を特定し、かつＲＡＣＨ手順において前記重複回数で上り情報を送信するか、又は上り情報を送信し下り情報を受信することにより、どのようにＲＡＣＨ手順における上り下り情報の重複回数を特定するかを明確にすることができる。
【００６３】
選択可能に、図８に示すように，前記第１特定モジュール７１は、
ネットワーク機器から送信された指示情報を受信するための第１受信ユニット７１１と、
前記指示情報に基づいて、ＲＡＣＨ手順における前記端末機器の上りチャネル又は上り下りチャネルの重複回数を特定するための第１特定ユニット７１２とを含む。
【００６４】
選択可能に、前記指示情報は、ＲＡＣＨ手順における端末機器の上り下りチャネルの重複回数を指示し、または、
前記指示情報は、ＲＡＣＨ手順における端末機器の上りチャネルの重複回数を指示するための第１指示情報と、ＲＡＣＨ手順における端末機器の下りチャネルの重複回数を指示するための第２指示情報とを含む。
【００６５】
選択可能に、前記第１受信ユニット７１１は、具体的には、
ブロードキャストメッセージにより、前記ネットワーク機器から送信された前記指示情報を受信し、前記ブロードキャストメッセージには、対応する端末機器が前記ブロードキャストメッセージにおける指示情報で重複回数を特定するための、端末機器の識別情報又は端末機器が所在するグループの識別情報を付帯する。
【００６６】
選択可能に、図９に示すように，前記第１特定モジュール７１は、
ＲＡＣＨ手順における端末機器の上りチャネルの重複回数又は回数レベルを特定するための少なくとも１つの測定性能閾値を含む、ネットワーク機器から送信される閾値情報を受信するための第２受信ユニット７１３と、
前記少なくとも１つの測定性能閾値に基づいて、ＲＡＣＨ手順における前記端末機器の上りチャネルの重複回数を特定するための第２特定ユニット７１４とを含み、
前記重複回数は、前記端末機器により前記少なくとも１つの測定性能閾値に基づいて直接的に特定されるか又は前記端末機器により、特定された回数レベルに基づいて特定され、前記特定された回数レベルは、前記端末機器により前記少なくとも１つの測定性能閾値に基づいて特定される。
【００６７】
選択可能に、前記第１送受信モジュール７２は、具体的には、
ＲＡＣＨ手順において前記重複回数に対応する重複回数で上り情報を送信し、下り情報をブラインド検出する。
【００６８】
選択可能に、図９に示すように、前記端末機器は、さらに、
ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示する、ネットワーク機器から送信された指示情報を受信するための第１受信モジュール７３と、
前記指示情報に基づいて、前記上りチャネルの重複回数に対応するプリアンブルグループにおけるプリアンブルを選択するための第１選択モジュール７４とを含み、
前記第１送受信モジュール７２は、具体的には、
ＲＡＣＨ手順において選択された前記プリアンブルを用いて、前記上りチャネルの重複回数で上り情報を送信し下り情報を受信する。
【００６９】
選択可能に、前記指示情報は、ＲＡＣＨ手順においてプリアンブルグループＡにおけるプリアンブルを用いる端末機器の上り下りチャネルの重複回数を指示するための第３指示情報と、ＲＡＣＨ手順においてプリアンブルグループＢにおけるプリアンブルを用いる端末機器の上り下りチャネルの重複回数を指示するための第４指示情報とを含み、
または、前記指示情報は、ＲＡＣＨ手順においてプリアンブルグループＡにおけるプリアンブルを用いる端末機器の上りチャネルの重複回数を指示するための第５指示情報と、ＲＡＣＨ手順においてプリアンブルグループＡにおけるプリアンブルを用いる端末機器の下りチャネルの重複回数を指示するための第６指示情報と、ＲＡＣＨ手順においてプリアンブルグループＢにおけるプリアンブルを用いる端末機器の上りチャネルの重複回数を指示するための第７指示情報と、ＲＡＣＨ手順においてプリアンブルグループＢにおけるプリアンブルを用いる端末機器の下りチャネルの重複回数を指示するための第８指示情報とを含み、
または、前記指示情報は、ＲＡＣＨ手順においてプリアンブルグループＡにおけるプリアンブルを用いる端末機器の上り下りチャネルの重複回数と、ＲＡＣＨ手順においてプリアンブルグループＢにおけるプリアンブルを用いる端末機器の上り下りチャネルの重複回数とを指示し、
または、前記指示情報は、ＲＡＣＨ手順においてプリアンブルグループＡにおけるプリアンブルを用いる端末機器の上りチャネルの重複回数及びＲＡＣＨ手順においてプリアンブルグループＢにおけるプリアンブルを用いる端末機器の上りチャネルの重複回数とを指示するための第９指示情報と、ＲＡＣＨ手順においてプリアンブルグループＡにおけるプリアンブルを用いる端末機器の下りチャネルの重複回数及びＲＡＣＨ手順においてプリアンブルグループＢにおけるプリアンブルを用いる端末機器の下りチャネルの重複回数とを指示するための第１０指示情報とを含む。
【００７０】
選択可能に、図１０に示すように、前記端末機器は、さらに、
異なる上り下りチャネルの重複回数又は回数レベルに対応するＰＲＡＣＨリソースグループを含む、前記ネットワーク機器から送信されるＰＲＡＣＨリソース設定情報を受信するための第２受信モジュール７５と、
特定された前記上りチャネルの重複回数に対応するＰＲＡＣＨリソースを選択するための第２選択モジュール７６とを含み、 
前記第１送受信モジュール７２は、具体的には、
ＲＡＣＨ手順において特定されたＰＲＡＣＨリソースを用いて、前記上りチャネルの重複回数で上り情報を送信し、下り情報を受信する。
【００７１】
選択可能に、前記第１受信ユニット又は第１受信モジュールは、具体的には、
ブロードキャストメッセージを介して、前記ネットワーク機器から送信された前記指示情報を受信する。
【００７２】
選択可能に、前記指示情報は、前記ブロードキャストメッセージにおけるマスタ情報ブロックＭＩＢ、システム情報ブロックＳＩＢ１、残りの最小システム情報ＲＭＳＩ又は他のシステム情報ＯＳＩのうちの少なくとも１つの情報に含まれる。
【００７３】
選択可能に、前記第一特定モジュール７１は、具体的には、
予め定められた重複回数における最大重複回数をＲＡＣＨ手順における前記端末機器の上りチャネルの重複回数として特定する。
【００７４】
選択可能に、前記第一特定モジュール７１は、具体的には、
予め定められた方式に基づいて、ＲＡＣＨ手順における前記端末機器の上り下りチャネルの重複回数を特定し、前記予め定められた方式は、
端末機器がＲＡＣＨ手順の前の接続状態で設定された重複回数、
ＲＡＣＨ手順の前にＲＲＣシグナリングを介して端末機器に設定された重複回数、
予め定義された又はデフォルトの重複回数、のいずれか１つである。
【００７５】
図１１に示すように、本開示の実施例は、
端末機器がＲＡＣＨ手順における上りチャネル又は上り下りチャネルの重複回数を特定するためのブロードキャストメッセージを端末機器に送信するための送信モジュール１１１と、
前記端末機器のＲＡＣＨ手順に基づいて、ＲＡＣＨ手順における前記端末機器の上り下りチャネルの重複回数を特定するための第２特定モジュール１１２と、
ＲＡＣＨ手順において前記端末機器のＲＡＣＨ手順に基づいて特定された重複回数で下り情報を送信し、上り情報を受信するための第２送受信モジュール１１３とを含む、ネットワーク機器をさらに提供する。
【００７６】
本開示の実施例のネットワーク機器は、端末機器にブロードキャストメッセージを送信し、端末機器のＲＡＣＨ手順に基づいて、ＲＡＣＨ手順における端末機器の上り下りチャネルの重複回数を特定し、ＲＡＣＨ手順において前記重複回数で下り情報を送信し上り情報を受信することにより、どのようにＲＡＣＨ手順における上り下り情報の重複回数を特定するかを明確にすることができる。
【００７７】
選択可能に、前記ブロードキャストメッセージは、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示するための指示情報を含み、前記第２特定モジュール１１２は、具体的には、
前記端末機器がＲＡＣＨ手順において用いるプリアンブルが所在するプリアンブルグループに基づいて、ＲＡＣＨ手順における前記端末機器の上り下りチャネルの重複回数を特定する。
【００７８】
さらに、前記ブロードキャストメッセージは、指示情報に加えて、さらに、ＲＡＣＨ手順における端末機器の上りチャネルの重複回数又は回数レベルを特定するための少なくとも１つの測定性能閾値を含む閾値情報を含んでもよい。
【００７９】
選択可能に、前記ブロードキャストメッセージは、ＲＡＣＨ手順における端末機器の上りチャネルの重複回数又は回数レベルを特定するための少なくとも１つの測定性能閾値を含む閾値情報と、異なる上り下りチャネルの重複回数又は回数レベルに対応するＰＲＡＣＨリソースグループを含むＰＲＡＣＨリソース設定情報とを含み、前記第２特定モジュール１１２は、具体的には、
前記端末機器がＲＡＣＨ手順において用いるＰＲＡＣＨリソースに基づいて、ＲＡＣＨ手順における前記端末機器の上り下りチャネルの重複回数を特定し、
前記重複回数は、前記ネットワーク機器により前記端末機器が用いるＰＲＡＣＨリソースに基づいて直接的に特定されるか、又は前記ネットワーク機器により、特定された回数レベルに基づいて特定され、前記特定された回数レベルは、前記ネットワーク機器により前記端末機器が用いるＰＲＡＣＨリソースに基づいて特定される。
【００８０】
本開示の実施例は、プロセッサと、メモリと、前記メモリ上に記憶されて前記プロセッサ上で動作可能で、前記プロセッサによって実行されると、上記情報送受信方法の実施例の各プロセスを実現し、かつ同様な技術的効果を達成することができるコンピュータプログラムとを含む端末機器をさらに提供し、重複を避けるため、ここでは重複して説明しない。
【００８１】
具体的には、図１２は、本開示の各実施例を実現する端末機器のハードウェア構造概略図であり、該端末機器１２００は、無線周波数ユニット１２０１、ネットワークモジュール１２０２、オーディオ出力ユニット１２０３、入力ユニット１２０４、センサ１２０５、表示ユニット１２０６、ユーザ入力ユニット１２０７、インタフェースユニット１２０８、メモリ１２０９、プロセッサ１２１０及び電源１２１１などの部品を含むが、これらに限定されない。当業者が理解できるように、図１２に示す端末構造は端末を限定するものではなく、端末機器は図示より多いか又は少ない部品を含んでよく、ある部品を組み合わせたり、異なる部品を配置したりしてもよい。本開示の実施例では、端末機器は、携帯電話、タブレット、ノートパソコン、ハンドトップ、車載端末、ウェアラブルデバイス及び歩数計等を含むが、これらに限定されない。
【００８２】
プロセッサ１２１０は、ＲＡＣＨ手順における端末機器の上りチャネル又は上り下りチャネルの重複回数を特定し、
無線周波数ユニット１２０１は、ＲＡＣＨ手順において前記重複回数で上り情報を送信するか、又は上り情報を送信し下り情報を受信する。
【００８３】
本開示の実施例の端末機器１２００は、ＲＡＣＨ手順における端末機器の上りチャネル又は上り下りチャネルの重複回数を特定し、ＲＡＣＨ手順において前記重複回数で上り情報を送信するか、又は上り情報を送信し下り情報を受信することにより、どのようにＲＡＣＨ手順における上り下り情報の重複回数を特定するかを明確にすることができる。
【００８４】
理解すべきこととして、本開示の実施例では、無線周波数ユニット１２０１が情報の送受信、又は通話中の信号の送受信に用いられてよく、具体的には、基地局からの下りリンクデータを受信した後、プロセッサ１２１０に処理させ、また、上りリンクデータを基地局に送信する。一般的に、無線周波数ユニット１２０１は、アンテナ、少なくとも１つの増幅器、送受信機、結合器、低雑音増幅器、デュプレクサ等を含むが、これらに限定されない。また、無線周波数ユニット１２０１は、さらに無線通信システムを介してネットワーク及び他の機器と通信することができる。
【００８５】
端末機器は、ネットワークモジュール１２０２を介してユーザに無線のブロードバンドインターネットアクセスを提供して、例えば、ユーザの電子メールの送受信、ウェブの閲覧及びストリーミングメディアのアクセス等を助ける。
【００８６】
オーディオ出力ユニット１２０３は、無線周波数ユニット１２０１又はネットワークモジュール１２０２によって受信されるか又はメモリ１２０９に記憶されるオーディオデータをオーディオ信号に変換して音声として出力することができる。そして、オーディオ出力ユニット１２０３は、さらに端末機器１２００によって実行される特定の機能に関連するオーディオ出力（例えば、呼び出し信号受信音声、メッセージ受信音声等）を提供することができる。オーディオ出力ユニット１２０３は、スピーカー、ブザー及びレシーバー等を含む。
【００８７】
入力ユニット１２０４は、オーディオ又はビデオ信号を受信する。入力ユニット１２０４は、グラフィック処理ユニット（Ｇｒａｐｈｉｃｓ  Ｐｒｏｃｅｓｓｉｎｇ  Ｕｎｉｔ、ＧＰＵ）１２０４１及びマイクロフォン１２０４２を含んでもよく、グラフィック処理ユニット１２０４１はビデオキャプチャモード又は画像キャプチャモードで画像キャプチャ装置（例えば、カメラ）によって取得された静止画像又はビデオの画像データを処理する。処理後の画像フレームを表示ユニット１２０６に表示することができる。グラフィック処理ユニット１２０４１によって処理された画像フレームは、メモリ１２０９（又は他の記憶媒体）に記憶されてもよく、無線周波数ユニット１２０１又はネットワークモジュール１２０２によって送信されてもよい。マイクロフォン１２０４２は音声を受信し、かつこのような音声をオーディオデータに処理することができる。処理後のオーディオデータを、電話通話モードの場合に無線周波数ユニット１２０１によって移動通信基地局に送信されるフォーマットに変換して出力することができる。
【００８８】
端末機器１２００は、さらに、光センサ、動きセンサ及び他のセンサ等のような少なくとも１種のセンサ１２０５を含む。具体的には、光センサは、環境光センサ及び近接センサを含み、環境光センサは環境光線の明るさに基づいて表示パネル１２０６１の輝度を調節することができ、近接センサは、端末機器１２００が耳元に移動するときに、表示パネル１２０６１及び／又はバックライトをオフにすることができる。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）等に用いられてよく、センサ１２０５は、さらに指紋センサ、圧力センサ、虹彩センサ、分子センサ、ジャイロスコープ、気圧計、湿度計、温度計、赤外線センサ等を含んでよく、ここでは重複して説明しない。
【００８９】
表示ユニット１２０６は、ユーザによって入力された情報又はユーザに提供された情報を表示する。表示ユニット１２０６は表示パネル１２０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル１２０６１を配置することができる。
【００９０】
ユーザ入力ユニット１２０７は、入力された数字又は文字情報を受信すると共に、端末のユーザ設定及び機能制御に関連するキー信号入力を生成してよい。具体的には、ユーザ入力ユニット１２０７は、タッチパネル１２０７１及び他の入力機器１２０７２を含む。タッチパネル１２０７１は、タッチスクリーンとも呼ばれ、その上又はその近くでのユーザのタッチ操作（例えば、指、スタイラスペン等の任意の適切な物体又は付属品を用いるタッチパネル１２０７１上又はタッチパネル１２０７１の近くでのユーザの操作）を収集することができる。タッチパネル１２０７１は、タッチ検出機器及びタッチコントローラの２つの部分を含んでよい。タッチ検出機器は、ユーザのタッチ方向を検出し、タッチ操作による信号を検出し、信号をタッチコントローラに伝送し、タッチコントローラは、タッチ検出機器からタッチ情報を受信し、かつタッチポイント座標に変換し、その後にプロセッサ１２１０に送信し、プロセッサ１２１０から送信されたコマンドを受信し、かつ実行する。また、抵抗式、容量式、赤外線式及び表面弾性波式等の複数のタイプでタッチパネル１２０７１を実現してもよい。タッチパネル１２０７１に加えて、入力ユニット１２０７は、他の入力機器１２０７２をさらに含んでよい。具体的には、他の入力機器１２０７２は、物理キーボード、機能キー（例えば、ボリューム調節キー、スイッチキー等）、トラックボール、マウス、及び操作レバーを含むが、これらに限定されず、ここでは重複して説明しない。
【００９１】
さらに、タッチパネル１２０７１は、表示パネル１２０６１をカバーし、タッチパネル１２０７１がその上又はその近くでのタッチ操作を検出した後、プロセッサ１２１０に伝送してタッチイベントのタイプを特定し、その後に、プロセッサ１２１０がタッチイベントのタイプに基づいて表示パネル１２０６１に対応する視覚的出力を提供する。図１２において、タッチパネル１２０７１と表示パネル１２０６１は２つの独立した部品として端末の入力と出力機能を実現するが、いくつかの実施例では、タッチパネル１２０７１と表示パネル１２０６１を一体化して端末の入力と出力機能を実現することができ、ここでは限定しない。
【００９２】
インタフェースユニット１２０８は、外部装置と端末機器１２００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット１２０８は、外部装置からの入力（例えば、データ情報、電力等）を受信すると共に、受信した入力を端末機器１２００内の１つ又は複数の素子に伝送するか又は端末機器１２００と外部装置の間のデータ伝送に用いる。
【００９３】
メモリ１２０９は、ソフトウェアプログラム及び様々なデータを記憶することに用いられ得る。メモリ１２０９は、主にプログラム記憶領域とデータ記憶領域とを含んでよく、プログラム記憶領域はオペレーティングシステム、少なくとも１つの機能に必要なアプリケーションプログラム（例えば、音声再生機能、画像再生機能等）等を記憶することができ、データ記憶領域は携帯電話の使用に基づいて作成されたデータ（例えば、オーディオデータ、電話帳等）等を記憶することができる。また、メモリ１２０９は、高速ランダムアクセスメモリを含んでよく、少なくとも１つの磁気ディスクメモリ素子、フラッシュメモリ素子等の不揮発性メモリ又は他の揮発性固体メモリ素子を含んでもよい。
【００９４】
プロセッサ１２１０は、端末機器の制御センターであり、様々なインタフェースと回線を用いて端末全体の各部分に接続され、メモリ１２０９に記憶されたソフトウェアプログラム及び／又はモジュールを動作させるか又は実行し、かつメモリ１２０９に記憶されたデータを呼び出すことにより、端末の様々な機能とデータ処理を実行して、端末全体を監視する。プロセッサ１２１０は、１つ又は複数の処理ユニットを含んでよく、選択可能に、プロセッサ１２１０は、主にオペレーティングシステム、ユーザインタフェース及びアプリケーションプログラム等を処理するアプリケーションプロセッサと、主に無線通信を処理するモデムプロセッサとを集積することができる。理解できるように、上記モデムプロセッサはプロセッサ１２１０に集積されなくてもよい。
【００９５】
端末機器１２００は、各部品に給電する電源１２１１（例えば、電池）をさらに含んでよく、選択可能に、電源１２１１は、電源管理システムによりプロセッサ１２１０と論理的に接続されて、電源管理システムにより充電、放電の管理及び消費電力の管理等の機能を実現する。
【００９６】
また、端末機器１２００は、いくつかの図示していない機能モジュールを含み、ここでは重複して説明しない。
【００９７】
本開示の実施例は、プロセッサと、メモリと、前記メモリ上に記憶されて前記プロセッサ上で動作可能で、前記プロセッサによって実行されると、ネットワーク機器に適用される上記情報送受信方法の実施例の各プロセスを実現し、かつ同様な技術的効果を達成することができるコンピュータプログラムとを含む、ネットワーク機器をさらに提供し、重複を避けるため、ここでは重複して説明しない。
【００９８】
具体的には、図１３は、本開示の各実施例を実現するネットワーク機器のハードウェア構造概略図であり、前記ネットワーク機器１３０は、バス１３１と、送受信機１３２と、アンテナ１３３と、バスインタフェース１３４と、プロセッサ１３５と、メモリ１３６とを含むが、それらに限定されない。
【００９９】
本開示の実施例では、前記ネットワーク機器１３０は、さらに、メモリ１３６上に記憶されてプロセッサ１３５上で動作可能なコンピュータプログラムを含み、コンピュータプログラムは、プロセッサ１３５により実行される場合に、
端末機器がＲＡＣＨ手順における上りチャネル又は上り下りチャネルの重複回数を特定するためのブロードキャストメッセージを端末機器に送信するステップと、
前記端末機器のＲＡＣＨ手順に基づいて、ＲＡＣＨ手順における前記端末機器の上り下りチャネルの重複回数を特定するステップと、
ＲＡＣＨ手順において前記端末機器のＲＡＣＨ手順に基づいて特定された重複回数で下り情報を送信し、上り情報を受信するステップとを実現する。
【０１００】
送受信機１３２は、プロセッサ１３５による制御下で、データを送受信する。
【０１０１】
図１３において、バスアーキテクチャ（バス１３１で代表される）について、バス１３１は、任意の数の相互接続されたバス及びブリッジを含んでよく、かつプロセッサ１３５に代表される１つ以上のプロセッサ及びメモリ１３６に代表されるメモリの様々な回路を一体に接続する。バス１３１はさらに、周辺機器、レギュレータ、電力管理回路等の各種の回路を接続することができ、これらは当業者に周知であるため、ここではその説明を省略する。バスインタフェース１３４は、バス１３１と送受信機１３２との間にインタフェースを提供する。送受信機１３２は、１つの部品であってもよいし、複数の受信機と送信機などの複数の部品であってもよく、伝送媒体上で様々な他の装置と通信するためのユニットを提供する。プロセッサ１３５で処理されたデータは、アンテナ１３３により無線媒体上で伝送され、さらに、アンテナ１３３は、データを受信してデータをプロセッサ１３５に伝送する。
【０１０２】
プロセッサ１３５は、バス１３１の管理と通常の処理を担当し、さらに、タイミング、周辺インタフェース、電圧調整、電源管理及びその他の制御機能を含む様々な機能を提供することができる。また、メモリ１３６は、プロセッサ１３５が動作を行うときに用いるデータを記憶してもよい。
【０１０３】
選択可能に、プロセッサ１３５は、ＣＰＵ、ＡＳＩＣ、ＦＰＧＡ又はＣＰＬＤであってもよい。
【０１０４】
本開示の実施例は、プロセッサによって実行されると、上記情報送受信方法の実施例の各プロセスを実現し、かつ同様な技術的効果を達成することができるコンピュータプログラムが記憶されているコンピュータ読み取り可能な記憶媒体をさらに提供し、重複を避けるために、重複して説明しない。該コンピュータ読み取り可能な記憶媒体は、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【０１０５】
なお、本明細書において、用語「含む」、「含有」又はその如何なる他の変形は非排他性の包含をカバーすることを意図することにより、一連の要素を含むプロセス、方法、物品又は機器はそれらの要素を含むだけでなく、明確に列記されていない他の要素も含み、又はこのようなプロセス、方法、物品又は装置の固有の要素をさらに含む。より多くの限定がない場合に、語句「１つ．．．を含む」により限定された要素は、該要素を含むプロセス、方法、物品又は装置にさらに別の同一の要素が存在することを排除するものではない。
【０１０６】
以上の実施形態の説明を介して、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は本質的又は関連技術に寄与する部分がソフトウェア製品の形態で具現化されてもよく、該コンピュータソフトウェア製品は記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【０１０７】
以上で添付図面を結合して本開示の実施例を説明したが、本開示は上記具体的な実施形態に限定されるものではなく、上記具体的な実施形態はただ例示的なものであり、制限的なものではなく、当業者であれば本開示の示唆で、本開示の趣旨及び特許請求の範囲の保護範囲から逸脱せずに多くの形式を行うことができ、これらはいずれも本開示の保護範囲内に属する。
【図１】
2021510279.tif 000003
【図２】
2021510279.tif 000004
【図３】
2021510279.tif 000005
【図４】
2021510279.tif 000006
【図５】
2021510279.tif 000007
【図６】
2021510279.tif 000008
【図７】
2021510279.tif 000009
【図８】
2021510279.tif 000010
【図９】
2021510279.tif 000011
【図１０】
2021510279.tif 000012
【図１１】
2021510279.tif 000013
【図１２】
2021510279.tif 000014
【図１３】
2021510279.tif 000015
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
端末機器に適用される情報送受信方法であって、
ＲＡＣＨ（Ｒａｎｄｏｍ  Ａｃｃｅｓｓ  Ｃｈａｎｎｅｌ）手順における端末機器の上りチャネル又は上り下りチャネルの重複回数を特定することと、
ＲＡＣＨ手順において前記重複回数で上り情報を送信するか、又は上り情報を送信し下り情報を受信することとを含む、情報送受信方法。
【請求項２】
前記のＲＡＣＨ手順における端末機器の上りチャネル又は上り下りチャネルの重複回数を特定することは、
ネットワーク機器から送信された指示情報を受信することと、
前記指示情報に基づいて、ＲＡＣＨ手順における前記端末機器の上りチャネル又は上り下りチャネルの重複回数を特定することとを含む、請求項１に記載の情報送受信方法。
【請求項３】
前記指示情報は、ＲＡＣＨ手順における端末機器の上り下りチャネルの重複回数を指示し、又は、
前記指示情報は、ＲＡＣＨ手順における端末機器の上りチャネルの重複回数を指示するための第１指示情報と、ＲＡＣＨ手順における端末機器の下りチャネルの重複回数を指示するための第２指示情報とを含む、請求項２に記載の情報送受信方法。
【請求項４】
前記のネットワーク機器から送信された指示情報を受信することは、
ブロードキャストメッセージを介して、前記ネットワーク機器から送信された前記指示情報を受信することを含み、
ここで、前記ブロードキャストメッセージには、端末機器が前記ブロードキャストメッセージにおける指示情報で重複回数を特定するための、対応する端末機器の識別情報又は対応する端末機器が所在するグループの識別情報を付帯する、請求項２に記載の情報送受信方法。
【請求項５】
前記のＲＡＣＨ手順における端末機器の上りチャネル又は上り下りチャネルの重複回数を特定することは、
ＲＡＣＨ手順における端末機器の上りチャネルの重複回数又は回数レベルを特定するための少なくとも１つの測定性能閾値を含む、ネットワーク機器から送信された閾値情報を受信することと、
前記少なくとも１つの測定性能閾値に基づいて、ＲＡＣＨ手順における前記端末機器の上りチャネルの重複回数を特定することと、を含み、
ここで、前記重複回数は、前記端末機器により前記少なくとも１つの測定性能閾値に基づいて直接的に特定されるか又は前記端末機器により、特定された回数レベルに基づいて特定され、前記特定された回数レベルは、前記端末機器により前記少なくとも１つの測定性能閾値に基づいて特定される、請求項１に記載の情報送受信方法。
【請求項６】
前記のＲＡＣＨ手順において前記重複回数で上り情報を送信するか、又は上り情報を送信し下り情報を受信することは、
ＲＡＣＨ手順において前記重複回数で上り情報を送信し、下り情報をブラインド検出することを含む、請求項１に記載の情報送受信方法。
【請求項７】
前記のＲＡＣＨ手順において前記重複回数で上り情報を送信するか、又は上り情報を送信し下り情報を受信する前に、前記方法は、さらに、
ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示する、ネットワーク機器から送信された指示情報を受信することと、
前記指示情報に基づいて、前記上りチャネルの重複回数に対応するプリアンブルグループにおけるプリアンブルを選択することと、を含み、
前記のＲＡＣＨ手順において前記重複回数で上り情報を送信するか、又は上り情報を送信し下り情報を受信することは、
ＲＡＣＨ手順において選択された前記プリアンブルを用いて、前記上りチャネルの重複回数で上り情報を送信し下り情報を受信することを含む、請求項５に記載の情報送受信方法。
【請求項８】
前記指示情報は、ＲＡＣＨ手順においてプリアンブルグループＡにおけるプリアンブルを用いる端末機器の上り下りチャネルの重複回数を指示するための第３指示情報と、ＲＡＣＨ手順においてプリアンブルグループＢにおけるプリアンブルを用いる端末機器の上り下りチャネルの重複回数を指示するための第４指示情報とを含み、または、
前記指示情報は、ＲＡＣＨ手順においてプリアンブルグループＡにおけるプリアンブルを用いる端末機器の上りチャネルの重複回数を指示するための第５指示情報と、ＲＡＣＨ手順においてプリアンブルグループＡにおけるプリアンブルを用いる端末機器の下りチャネルの重複回数を指示するための第６指示情報と、ＲＡＣＨ手順においてプリアンブルグループＢにおけるプリアンブルを用いる端末機器の上りチャネルの重複回数を指示するための第７指示情報と、ＲＡＣＨ手順においてプリアンブルグループＢにおけるプリアンブルを用いる端末機器の下りチャネルの重複回数を指示するための第８指示情報とを含み、または、
前記指示情報は、ＲＡＣＨ手順においてプリアンブルグループＡにおけるプリアンブルを用いる端末機器の上り下りチャネルの重複回数と、ＲＡＣＨ手順においてプリアンブルグループＢにおけるプリアンブルを用いる端末機器の上り下りチャネルの重複回数とを指示し、または、
前記指示情報は、ＲＡＣＨ手順においてプリアンブルグループＡにおけるプリアンブルを用いる端末機器の上りチャネルの重複回数及びＲＡＣＨ手順においてプリアンブルグループＢにおけるプリアンブルを用いる端末機器の上りチャネルの重複回数とを指示するための第９指示情報と、ＲＡＣＨ手順においてプリアンブルグループＡにおけるプリアンブルを用いる端末機器の下りチャネルの重複回数及びＲＡＣＨ手順においてプリアンブルグループＢにおけるプリアンブルを用いる端末機器の下りチャネルの重複回数とを指示するための第１０指示情報とを含む、請求項２又は７に記載の情報送受信方法。
【請求項９】
前記のＲＡＣＨ手順において前記重複回数で上り情報を送信するか、又は上り情報を送信し下り情報を受信する前に、前記方法は、さらに、
異なる上り下りチャネルの重複回数又は回数レベルに対応するＰＲＡＣＨ（Ｐｈｙｓｉｃａｌ  Ｒａｎｄｏｍ  Ａｃｃｅｓｓ  Ｃｈａｎｎｅｌ）リソースグループを含む、前記ネットワーク機器から送信されたＰＲＡＣＨリソース設定情報を受信することと、
特定された前記上りチャネルの重複回数に対応するＰＲＡＣＨリソースを選択することとを含み、  
前記のＲＡＣＨ手順において前記重複回数で上り情報を送信するか、又は上り情報を送信し下り情報を受信することは、
ＲＡＣＨ手順において特定されたＰＲＡＣＨリソースを用いて、前記上りチャネルの重複回数で上り情報を送信し、下り情報を受信することを含む、請求項５に記載の情報送受信方法。
【請求項１０】
前記のＲＡＣＨ手順における端末機器の上りチャネル又は上り下りチャネルの重複回数を特定することは、
予め定められた重複回数における最大重複回数をＲＡＣＨ手順における前記端末機器の上りチャネルの重複回数として特定すること、又は
予め定められた方式に基づいて、ＲＡＣＨ手順における前記端末機器の上り下りチャネルの重複回数を特定することを含み、
ここで、前記予め定められた方式は、
端末機器がＲＡＣＨ手順の前の接続状態で設定された重複回数、
ＲＡＣＨ手順の前にＲＲＣ（Ｒａｄｉｏ  Ｒｅｓｏｕｒｃｅ  Ｃｏｎｔｒｏｌ）シグナリングを介して端末機器のために設定された重複回数、及び
予め定義された又はデフォルトの重複回数、のいずれか１つである、請求項１に記載の情報送受信方法。
【請求項１１】
ネットワーク機器に適用される情報送受信方法であって、
端末機器がＲＡＣＨ手順における上りチャネル又は上り下りチャネルの重複回数を特定するためのブロードキャストメッセージを端末機器に送信することと、
前記端末機器のＲＡＣＨ手順に基づいて、ＲＡＣＨ手順における前記端末機器の上り下りチャネルの重複回数を特定することと、
ＲＡＣＨ手順において前記端末機器のＲＡＣＨ手順に基づいて特定された重複回数で下り情報を送信し、上り情報を受信することとを含む、情報送受信方法。
【請求項１２】
前記ブロードキャストメッセージは、ＲＡＣＨ手順においてプリアンブルグループＡにおけるプリアンブルを用いる端末機器と、プリアンブルグループＢにおけるプリアンブルを用いる端末機器との上りチャネル又は上り下りチャネルの重複回数を指示するための指示情報を含み、
前記の端末機器のＲＡＣＨ手順に基づいて、ＲＡＣＨ手順における前記端末機器の上り下りチャネルの重複回数を特定することは、
前記端末機器がＲＡＣＨ手順において用いるプリアンブルが所在するプリアンブルグループに基づいて、ＲＡＣＨ手順における前記端末機器の上り下りチャネルの重複回数を特定することを含み、
前記ブロードキャストメッセージはさらに、ＲＡＣＨ手順における端末機器の上りチャネルの重複回数又は回数レベルを特定するための少なくとも１つの測定性能閾値を含む閾値情報を含む、請求項１１に記載の情報送受信方法。
【請求項１３】
前記ブロードキャストメッセージは、ＲＡＣＨ手順における端末機器の上りチャネルの重複回数又は回数レベルを特定するための少なくとも１つの測定性能閾値を含む閾値情報と、異なる上り下りチャネルの重複回数又は回数レベルに対応するＰＲＡＣＨリソースグループを含むＰＲＡＣＨリソース設定情報とを含み、
前記の端末機器のＲＡＣＨ手順に基づいて、ＲＡＣＨ手順における前記端末機器の上り下りチャネルの重複回数を特定することは、
前記端末機器がＲＡＣＨ手順において用いるＰＲＡＣＨリソースに基づいて、ＲＡＣＨ手順における前記端末機器の上り下りチャネルの重複回数を特定することを含み、
ここで、前記重複回数は、前記ネットワーク機器により前記端末機器が用いるＰＲＡＣＨリソースに基づいて直接的に特定されるか、又は前記ネットワーク機器により、特定された回数レベルに基づいて特定され、前記特定された回数レベルは、前記ネットワーク機器により前記端末機器が用いるＰＲＡＣＨリソースに基づいて特定される、請求項１１に記載の情報送受信方法。
【請求項１４】
ＲＡＣＨ手順における端末機器の上りチャネル又は上り下りチャネルの重複回数を特定するための第１特定モジュールと、
ＲＡＣＨ手順において前記重複回数で上り情報を送信するか、又は上り情報を送信し下り情報を受信するための第１送受信モジュールとを含む、端末機器。
【請求項１５】
端末機器がＲＡＣＨ手順における上りチャネル又は上り下りチャネルの重複回数を特定するためのブロードキャストメッセージを端末機器に送信するための送信モジュールと、
前記端末機器のＲＡＣＨ手順に基づいて、ＲＡＣＨ手順における前記端末機器の上り下りチャネルの重複回数を特定するための第２特定モジュールと、
ＲＡＣＨ手順において前記端末機器のＲＡＣＨ手順に基づいて特定された重複回数で下り情報を送信し、上り情報を受信するための第２送受信モジュールとを含む、ネットワーク機器。
【国際調査報告】
2021510279.tif 000016
2021510279.tif 000017
2021510279.tif 000018
2021510279.tif 000019
2021510279.tif 000020
2021510279.tif 000021